(57)【要約】【課題】  機器本体の状態をリモコンで認識することが可能なリモコン付き記録装置およびリモコン付き電子機器を提供する。【解決手段】  機器本体２の送信部２５は、タイマ予約が設定されて、機器本体１が運転状態から待機状態にされた場合、タイマ予約中であることを通知する所定周期のパルス列信号をリモコン１に送信する。リモコン１のＬＥＤ１５は、パルス列信号のパルスに応答して点滅する。したがって、機器本体２の表示部２３の表示が見にくい場合などでも、リモコン１のＬＥＤ１５が点滅することによって、ユーザは機器本体２がタイマ予約中であることを認識することができる。【選択図】        図１
2006324904.tif 000002
【特許請求の範囲】
【請求項１】
予め設定された録画予約時刻になると待機状態から運転状態に自動的に遷移する録画予約機能を有する機器本体と、前記機器本体を遠隔操作するためのリモコンとを備えたリモコン付き記録装置において、
前記機器本体は、録画予約の設定がされて運転状態から待機状態にされた場合、録画予約中であることを通知する所定周期のパルス列信号を前記リモコンに送信し、
前記リモコンは、前記機器本体からの前記パルス列信号のパルスに応答して点滅する発光部を含むことを特徴とする、リモコン付き記録装置。
【請求項２】
予め設定された予約時刻になると待機状態から運転状態に自動的に遷移するタイマ予約機能を有する機器本体と、前記機器本体を遠隔操作するためのリモコンとを備えたリモコン付き電子機器において、
前記機器本体は、タイマ予約の設定がされて運転状態から待機状態にされた場合、タイマ予約中であることを通知する通知信号を前記リモコンに送信し、
前記リモコンは、前記機器本体からの前記通知信号に応答して発光する発光部を含むことを特徴とする、リモコン付き電子機器。
【請求項３】
待機状態において表示部を消灯させる低消費電力モードを有する機器本体と、前記機器本体を遠隔操作するためのリモコンとを備えたリモコン付き電子機器において、
前記機器本体は、前記低消費電力モードに設定されて運転状態から待機状態にされた場合、前記低消費電力モードの待機状態であることを通知する通知信号を前記リモコンに送信し、
前記リモコンは、前記機器本体からの前記通知信号に応答して発光する発光部を含むことを特徴とする、リモコン付き電子機器。
【請求項４】
前記通知信号は、所定周期のパルス列信号であり、前記発光部は、前記パルス列信号のパルスに応答して点滅することを特徴とする、請求項２または請求項３に記載のリモコン付き電子機器。
【発明の詳細な説明】
【技術分野】
【０００１】
この発明は、リモコン付き記録装置およびリモコン付き電子機器に関し、特に、機器本体と、機器本体を遠隔操作するためのリモコンとを備えたリモコン付き記録装置およびリモコン付き電子機器に関する。
【背景技術】
【０００２】
ＤＶＤ（デジタル・ビデオ・ディスク）レコーダーやＶＴＲ（ビデオ・テープ・レコーダー）などの家庭用の電子機器は、その多くがリモコンによって遠隔操作できるようになっている。また、機器本体のフロントパネルには、現在時刻や予約状態などが表示される表示部が設けられている。
【０００３】
たとえば、下記の特許文献１には、停電などが生じても正確な現在時刻を表示可能な通信機能付燃焼装置が開示されている。これによると、停電により現在時刻の表示が消失しても、電源投入後にリモコンの表示部に正確な現在時刻が表示される。
【０００４】
また、下記の特許文献２には、タイマとして使用することが可能なリモコン装置が開示されている。これによると、設定されたタイマ時間経過時にリモコン装置に備えられた表示体から表示が行なわれる。
【０００５】
また、下記の特許文献３には、待機状態時にフロントパネルの表示素子を消灯することで消費電力を大幅に削減することができる表示装置が開示されている。これによると、待機状態において、表示が必要なときのみ所定の時間だけ表示部を点灯させ、その他のときは表示を消灯させる。
【特許文献１】特開平１１−２８４９４１号公報
【特許文献２】特開２００１−２３８２７６号公報
【特許文献３】特開平１０−５１９５３号公報
【発明の開示】
【発明が解決しようとする課題】
【０００６】
予め設定された予約時刻になると待機状態から運転状態に自動的に遷移するタイマ予約機能を有する電子機器では、タイマ予約の設定を行なった後に副電源をオフして、タイマ予約の待機状態に入ると、機器本体の表示部にタイマ予約中である旨が表示される。しかし、昼間の太陽光が表示部に反射して表示が見にくい場合など、ユーザがタイマ予約中であることを認識しづらいことがあった。
【０００７】
また、待機状態において機器本体の表示部を消灯させる低消費電力モードを有する電子機器の場合、主電源がオフしているのではないかとユーザが勘違いすることがあった。
【０００８】
それゆえに、この発明の主たる目的は、機器本体の状態をリモコンで認識することが可能なリモコン付き記録装置およびリモコン付き電子機器を提供することである。
【課題を解決するための手段】
【０００９】
この発明に係わるリモコン付き記録装置は、予め設定された録画予約時刻になると待機状態から運転状態に自動的に遷移する録画予約機能を有する機器本体と、機器本体を遠隔操作するためのリモコンとを備えたリモコン付き記録装置において、機器本体は、録画予約の設定がされて運転状態から待機状態にされた場合、録画予約中であることを通知する所定周期のパルス列信号をリモコンに送信し、リモコンは、機器本体からのパルス列信号のパルスに応答して点滅する発光部を含むことを特徴とする。
【００１０】
この発明に係わる他のリモコン付き電子機器は、予め設定された予約時刻になると待機状態から運転状態に自動的に遷移するタイマ予約機能を有する機器本体と、機器本体を遠隔操作するためのリモコンとを備えたリモコン付き電子機器において、機器本体は、タイマ予約が設定されて運転状態から待機状態にされた場合、タイマ予約中であることを通知する通知信号をリモコンに送信し、リモコンは、機器本体からの通知信号に応答して発光する発光部を含むことを特徴とする。
【００１１】
この発明に係わるさらに他のリモコン付き電子機器は、待機状態において表示部を消灯させる低消費電力モードを有する機器本体と、機器本体を遠隔操作するためのリモコンとを備えたリモコン付き電子機器において、機器本体は、低消費電力モードに設定されて運転状態から待機状態にされた場合、低消費電力モードの待機状態であることを通知する通知信号をリモコンに送信し、リモコンは、機器本体からの通知信号に応答して発光する発光部を含むことを特徴とする。
【００１２】
好ましくは、通知信号は、所定周期のパルス列信号であり、発光部は、パルス列信号のパルスに応答して点滅することを特徴とする。
【発明の効果】
【００１３】
この発明に係わるリモコン付き記録装置では、機器本体は、録画予約の設定がされて運転状態から待機状態にされた場合、録画予約中であることを通知する所定周期のパルス列信号をリモコンに送信し、リモコンは、機器本体からのパルス列信号のパルスに応答して点滅する発光部を含むことを特徴とする。したがって、機器本体の表示部の表示が見にくい場合でも、機器本体が録画予約中であることをリモコンで認識することが可能になる。
【００１４】
この発明に係わる他のリモコン付き電子機器では、機器本体は、タイマ予約の設定がされて運転状態から待機状態にされた場合、タイマ予約中であることを通知する通知信号をリモコンに送信し、リモコンは、機器本体からの通知信号に応答して発光する発光部を含むことを特徴とする。したがって、機器本体の表示部の表示が見にくい場合でも、機器本体がタイマ予約中であることをリモコンで認識することが可能になる。
【００１５】
この発明に係わる他のリモコン付き電子機器は、機器本体は、低消費電力モードに設定されて運転状態から待機状態にされた場合、低消費電力モードの待機状態であることを通知する通知信号をリモコンに送信し、リモコンは、機器本体からの通知信号に応答して発光する発光部を含むことを特徴とする。したがって、機器本体が低消費電力モードの待機状態であることをリモコンで認識することが可能になる。このため、低消費電力モードの待機状態において機器本体の表示部が消灯されている場合に、主電源がオフしているのではないかとユーザが勘違いすることが防止される。
【発明を実施するための最良の形態】
【００１６】
［実施の形態１］
図１は、この発明の実施の形態１によるリモコン付き電子機器の概略構成を示すブロック図である。ここで、このリモコン付き電子機器は、予め設定された予約時刻になると待機状態から運転状態に自動的に遷移するタイマ予約機能を有する電子機器、たとえば予め設定された録画予約時刻になると待機状態から運転状態に自動的に遷移する録画予約機能を有するＤＶＤレコーダー（記録装置）などである。
【００１７】
図１において、このリモコン付き電子機器は、リモコン１と、機器本体２とを備える。リモコン１は、操作部１１と、ＣＰＵ（中央処理装置）１２と、送信部１３と、受信部１４と、ＬＥＤ（発光ダイオード）１５とを含む。機器本体２は、受信部２１と、ＣＰＵ２２と、表示部２３と、タイマ部２４と、送信部２５とを含む。
【００１８】
リモコン１において、操作部１１は、タイマ予約の設定などの各種設定を行なうためのメニューボタン、予約時刻などを入力するための数字ボタン、機器本体２の副電源をオン／オフするための電源ボタンなどを含む。ＣＰＵ１２は、リモコン１の全体制御を行なう。送信部１３は、ユーザが操作部１１のボタンを操作したことに応じて、機器本体２の動作を制御するための制御信号を送信する。
【００１９】
機器本体２において、受信部２１は、送信部１３からの制御信号を受信してＣＰＵ２２に伝える。ＣＰＵ２２は、機器本体２の全体動作を制御する。表示部２３は、たとえば蛍光表示菅（ＦＩＰ）であり、現在時刻や予約状態などを表示する。送信部２５は、タイマ予約の設定がされて、機器本体１が運転状態から待機状態にされた場合、タイマ予約中（録画予約中）であることを通知する通知信号をリモコン１に送信する。
【００２０】
図２は、図１に示した送信部２５から送信される通知信号の波形を示す図である。図２において、この通知信号は、パルス幅Ｔ１、パルス間隔Ｔ２の所定周期のパルス列信号である。
【００２１】
図１に戻って、タイマ部２４には、通知信号のパルス幅Ｔ１（たとえば１秒）およびパルス間隔Ｔ２（たとえば３０〜１２０秒）が予め設定される。ユーザは、リモコン１の操作部１１のボタンを操作することによって、パルス幅Ｔ１およびパルス間隔Ｔ２の値を任意に設定変更することが可能である。リモコン１において、受信部１４は、機器本体２からの通知信号を受信してＣＰＵ１２に伝える。ＬＥＤ１５は、この通知信号のパルスに応答して点滅する。
【００２２】
図３は、図１に示したリモコン付き電子機器の外観を示す図である。図３において、リモコン１には、操作部１１、送信部１３、受信部１４およびＬＥＤ１５が配置される。機器本体２のフロントパネルには、表示部２３、受信部２１および送信部２５が配置される。
【００２３】
図４は、図１に示したリモコン付き電子機器の動作について説明するためのフローチャートである。ステップＳ１において、ユーザがリモコン１の操作部１１の電源ボタンを押して、機器本体２の副電源がオフされると、ＣＰＵ２２は、機器本体２を運転状態から待機状態に遷移させる。ステップＳ２において、ＣＰＵ２２は、予めタイマ予約の設定が行なわれているか否かを判定する。ここで、タイマ予約の設定が行なわれていると判定された場合は、ステップＳ３に進む。ステップＳ３において、ＣＰＵ２２は、表示部２３にタイマ予約中である旨を表示させるとともに、送信部２５からタイマ予約中であることを通知する通知信号を送信させる。リモコン１のＬＥＤ１５は、送信部２５からの通知信号のパルスに応答して点滅する。
【００２４】
したがって、昼間の太陽光が表示部２３に反射して表示が見にくい場合などでも、リモコン１のＬＥＤ１５が点滅することによって、ユーザは機器本体２がタイマ予約中であることを認識することができる。このように、機器本体の状態をリモコンで認識することが可能になる。
【００２５】
［実施の形態２］
図５は、この発明の実施の形態２によるリモコン付き電子機器の動作について説明するためのフローチャートである。ここで、このリモコン付き電子機器は、待機状態（副電源がオフされ、主電源がオンされた状態）において、機器本体２の表示部２３に現在時刻などを表示させる通常モードと、機器本体２の表示部２３を消灯させる低消費電力モードとを有するものとする。ユーザは、リモコン１の操作部１１のボタンを操作して、通常モードまたは低消費電力モードに予め設定する。
【００２６】
ステップＳ１１において、ユーザがリモコン１の操作部１１の電源ボタンを押して、機器本体２の副電源がオフされると、ＣＰＵ２２は、機器本体２を運転状態から待機状態に遷移させる。ステップＳ１２において、ＣＰＵ２２は、予め低消費電力モードに設定されているか否かを判定する。ここで、低消費電力モードに設定されていると判定された場合は、ステップＳ１３に進む。ステップＳ１３において、ＣＰＵ２２は、表示部２３を消灯させるとともに、送信部２５から低消費電力モードの待機状態であることを通知する通知信号を送信させる。リモコン１のＬＥＤ１５は、送信部２５からの通知信号のパルスに応答して点滅する。
【００２７】
したがって、リモコン１のＬＥＤ１５が点滅することによって、ユーザは機器本体２が低消費電力モードの待機状態であることを認識することができる。このため、低消費電力モードの待機状態において表示部２３が消灯されている場合に、主電源がオフしているのではないかとユーザが勘違いすることが防止される。このように、機器本体の状態をリモコンで認識することが可能になる。
【００２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２９】
【図１】この発明の実施の形態１によるリモコン付き電子機器の概略構成を示すブロック図である。
【図２】図１に示した機器本体の送信部から送信される通知信号の波形を示す図である。
【図３】図１に示したリモコン付き電子機器の外観を示す図である。
【図４】図１に示したリモコン付き電子機器の動作について説明するためのフローチャートである。
【図５】この発明の実施の形態２によるリモコン付き電子機器の動作について説明するためのフローチャートである。
【符号の説明】
【００３０】
１  リモコン、２  機器本体、１１  操作部、１２  ＣＰＵ、１３  送信部、１４  受信部、１５  ＬＥＤ、２１  受信部、２２  ＣＰＵ、２３  表示部、２４  タイマ部、２５  送信部。
【図１】
2006324904.tif 000003
【図２】
2006324904.tif 000004
【図３】
2006324904.tif 000005
【図４】
2006324904.tif 000006
【図５】
2006324904.tif 000007